(57)【要約】【課題】  水準器と方位測定器並びに風向計を一つの容器内に組み込み、水準器で水平、傾斜状態を、同時にその傾斜方向も含め方位を方位磁石で、また風向計で風向きを、しかも夜間の暗い時にはＬＥＤライトで照明ができ、手軽に携帯をして、洋服のポケット等に収納して持ち歩くことができる携帯型照明付多機能測定器を提供する。【解決手段】プラスチック製で六から八角形の最下段の底板の上には透明な皿状容器が空間をおいて溶着され、その間に風向計を設け、更にその上部には半球形の透明樹脂カバーを液密に溶着一体化し、その透明樹脂カバー頂部の周りにはリング状目印を施し、その内部には充満していない一個の気泡を持った量の液体と方位磁石とが封入されており、これらが水準器と方位計となって水平、傾斜状態とその方位を、また風向計で風向きが確認でき、照明用のＬＥＤライトにより夜間の暗い時でも使用が可能な携帯型照明付多機能測定器である。【選択図】図１
0003162471.tif 000002
【実用新案登録請求の範囲】
【請求項１】
プラスチック製で六から八角形の、例えば最下段の底板は対抗距離が各60ｍｍの八角形
をしたその底板の裏面から表面にかけて照明用補機を内蔵する収納ボックスが設けられていて、その上には同じく八角形で透明の皿状容器があって外周部の各コーナーが部分的にそれぞれの空間を保ち上下溶着しており、その底板の中心に軸を設け、その軸には細い棒状で先端には円錐形の鏃が、また後部の尾翼には三角形の端部が少し膨らんで構成した風向計が取り付けてあり、その透明な皿状容器の底越しに見える棒状先端の鏃が指す方向で風向きの確認ができ、更に前記皿状容器の上に曲率の大きい半球形の透明樹脂カバーを、その頂部まで突出した高さで液密に溶着一体化し、その内部には充満していない一個の、気泡が生じている量の液体と方位磁石を封入してあり、その透明樹脂カバー頂部の周りにはリング状目印が施されていて、つまり皿状容器内の液体中の気泡とリング状目印とがほぼ同じ位置に重なれば水平状態にあり、気泡とリング状目印のずれによって傾斜状態を把握でき、また同時に方位測定器である方位磁石によって傾斜と方位を、風向きも風向計で確認ができ、前記底板裏面の照明用補機の収納ボックスから外周コーナーの一箇所を経由して上記皿状容器の内部に向けて通電させた照明用のＬＥＤライトが取り付けてあり、以上それぞれ四つの機能を果たし、手軽に携帯をして、洋服等のポケットに収納して持ち歩けることを特徴とした携帯型照明付多機能測定器。
【考案の詳細な説明】
【技術分野】
【０００１】
本考案は照明用ＬＥＤライトの付いた小型の水準器に方位並び風向計の測定器を組み合わせ、手軽に携帯をして、洋服のポケット等に収納して持ち歩くことができる携帯型照明付多機能測定器に関する。
【背景技術】
【０００２】
従来の水準器は細長い棒状のものが主流で、前後左右の二方向の水平を計測するには、それぞれ前後（南北）、左右(東西)の二方向に水準器を当てるか、十字状の水準器の場合
でも前後左右の二方向別々の水平状態を測定しなければならなかった。また方位並びに風向測定器を付帯したものもなく、照明付で手軽に携帯して持ち歩くことができるコンパクトなものも見当たらなかった。
【先行技術文献】
【特許文献】
【０００３】
【特許文献１】特開平１１−２９５０６４号公報
【考案の概要】
【考案が解決しようとする課題】
【０００４】
本考案は照明具が付いて手軽に携帯をして、洋服のポケット等に収納して持ち歩くことができ、しかも前後左右全方向の水平、傾斜の状態に対しては水準器を、方位に対しては方位磁石が、更に風向きも風向計で測定を働かせることで照明を含む四つの機能を同時に果たすことを可能にしたものである。
【課題を解決するための手段】
【０００５】
本考案はプラスチック製で六から八角形の、例えば最下段の底板は対抗距離が各60ｍｍ
の八角形をしたその底板の裏面から表面にかけて照明用補機を内蔵する収納ボックスが設けられている。その上には同じく八角形で透明の皿状容器があって、前記底板とそれぞれは外周部の各コーナーが部分的に空間を保ち上下溶着している。その底板の中心に軸を設け、その軸には細い棒状で先端には円錐形の鏃が、また後部の尾翼には三角形の端部が少し膨らんで構成した風向計が取り付けてあり、その透明な皿状容器の底越しに見える棒状先端の鏃が指す方向で風向きが把握できる。
【０００６】
更に上記皿状容器の上には曲率の大きい半球形でその頂部まで突出高さがある透明樹脂カバーと液密に溶着一体化し、その内部には充満していない一個の気泡が生じている量の液体と方位磁石を封入したものである。その透明樹脂カバー頂部の周りにはリング状目印が施されている。つまり皿状容器内の液体中の気泡とリング状目印とがほぼ同じ位置に重なれば水平状態にあり、気泡とリング状目印のずれによって傾斜状態を把握でき、また同時に方位測定器である方位磁石によって方位も同時に測定ができる。
【０００７】
上記底板にある裏面の照明用補機収納ボックスから外周コーナーの一箇所を経由して上記皿状容器の内部に向けて取り付けられた照明用のＬＥＤライトに通電させている。
【０００８】
以上のようにそれぞれ四つの機能を果たし、手軽に携帯をして、洋服等のポケットに収納して持ち歩けることを特徴としたものである。
【０００９】
上記の最下段の底板と部分的な各コーナー、皿状容器、透明樹脂カバーとはそれぞれ溶着加工で一体化しているが、部分的に成形加工で一体化するものであってもよい。
【考案の効果】
【００１０】
上述のように本考案の携帯型照明付多機能測定器は、これを測定したい対象物の上に置き水平か傾斜かは、樹脂カバー頂部の周りにある液体中の気泡がリング状目印に重なっていれば水平、また外れて傾斜の高い部分に移動するかについては水準器が、その傾斜状態がどの方向か、または方位を測定するには方位磁石で、次に下段の棒状先端にある鏃の指す方向から風向きは風向計が、しかも夜間の暗い時には照明用のＬＥＤライトを照らせば一目瞭然で把握ができる。
【００１１】
従って一つの器具で水平状態と傾斜方向の方位並びに風向きがそれぞれ確認でき、ＬＥＤライトの照明を含め四つの機能を同時に果たすことで、建築、土木工事、機械等の据付時、建物等の水平あるいは傾斜と方位、また海、山等アウトドアにおける方位、風向きが同時に、また夜間の暗い時でも照明用のＬＥＤライトを照らすことで簡単にそれぞれの測定が可能になる。    
【００１２】
以上のことからそれぞれ四つの機能を果たし手軽に携帯をして、洋服のポケット等に収納して持ち歩くことができるため多方面で役立ち利便性も高まる。                
【図面の簡単な説明】
【００１３】
【図１】本考案の携帯型照明付多機能測定器の実施例を示す平面図である。
【図２】同上底板裏側平面図である。
【図３】平面図１のＡ−Ａ‘断面概略図である。
【考案を実施するための形態】
【００１４】
プラスチック製の例えば最下段が八角形の底板は厚みがおよそ１ｍｍで対抗距離がおよそ60ｍｍあり、その底板の裏面から表面にかけて照明用補機を内蔵する収納ボックスが設けられている。その上には同じく八角形で透明の皿状容器が対抗距離およそ56ｍｍ、高さはおよそ12ｍｍあって、その底板とその空間はおよそ８ｍｍで、それぞれ８ヶ所の各コーナーが部分的に空間を保ち上下を溶着している。その底板の中心に軸を設け、その軸には細い棒状で先端には円錐形の鏃が、また後部の尾翼は三角形の端部が少し膨らんで構成した風向計が取り付けてあり、その透明な皿状容器の底越しに見える棒状先端の鏃が指す方向で風向きの確認ができる。
【００１５】
更に上記皿状容器の上には曲率の大きい半球形の透明樹脂カバーを、その頂部までの突出高さはおよそ５ｍｍとして液密に溶着一体化し、その内部には、充満していない一個の気泡が生じている量の液体と方位磁石を封入したものである。その透明樹脂カバー頂部の周りにはリング状目印が施されている。つまりその皿状容器内にある液体中の気泡とリング状目印とがほぼ同じ位置に重なれば水平状態にあり、気泡とリング状目印のずれによって傾斜状態を把握でき、また方位測定器である方位磁石によって傾斜と方位も同時に測定することができる。
【００１６】
上記照明用補機収納ボックスから外周コーナーの一箇所を経由して前記皿状容器の内部に向けて取り付けられた証明用ＬＥＤライトに通電させて本考案の多機能計測器を照らす仕組みになっている。
【実施例】
【００１７】
以下、添付図面に基づいて実施例を説明する。プラスチック製の例えば最下段が八角形の底板１は対抗距離がおよそ60ｍｍあり、その底板１の裏面から表面にかけて照明用補機２を内蔵する収納ボックス３が設けられている。その上には同じく八角形で透明の皿状容器４があって、その底板１とそれぞれは８ヶ所の各コーナー５が部分的に空間を保ち上下を溶着している。前記底板１の中心に軸を設け、その軸には細い棒状で先端には円錐形の鏃が、また後部の尾翼は三角形の端部が少し膨らんで構成した風向計６が取り付けてあり、その透明な皿状容器４の底越しに見える棒状先端の鏃が指す方向で風向きの確認ができる。
【００１８】
更に上記皿状容器４の上には曲率の大きい半球形で頂部まで突出高さがある透明樹脂カ
バー７と液密に溶着一体化して、この内部には一体化以前に充満していない一個の気泡９が生じる量の液体８と方位磁石10が封入されたものである。その透明樹脂カバー７頂部の周りにはリング状目印11が施している。つまりその皿状容器４内の液体８中にある気泡９とリング状目印11がほぼ同じ位置に重なれば水平状態にある時に描く大きさになるように液体８の量は調整されている。従ってリング状目印11と気泡９で水平、傾斜の把握ができ、また方位測定器である方位磁石10によって方位も同時に測定ができる。
【００１９】
上記照明用補機２の収納ボックス３から外周コーナー５の一箇所を経由して前記皿状容器４の内部に向けて取り付けられた証明用ＬＥＤライト12に通電させ、本考案の携帯型照明付多機能計測器を照らす仕組みになっている。
【００２０】
上記のように本考案は透明樹脂カバー７に施されているリング状目印11と一個の気泡９との重なり具合、ずれ具合によって全方向の水平傾斜の状態を水準器で、方位も方位磁石10によって、風向きも風向計６で同時に、また夜間の暗い時でも照明用のＬＥＤライト12で照らせば容易に測定することができる。
【符号の説明】
【００２１】
１  底板
２  照明用補機  
３  収納ボックス
４  皿状容器
５  コーナー
６  風向計
７  透明樹脂カバー
８  液体
９  気泡
10  方位磁石
11  リング状目印      
12  ＲＥＤライト
【図１】
0003162471.tif 000003
【図２】
0003162471.tif 000004
【図３】
0003162471.tif 000005